(57)【特許請求の範囲】
【請求項１】
上部に雄ねじが形成された軸部材と、前記軸部材の上端に設けられた吊り部材と、前記軸部材の下端に設けられた所定の角度で開閉自在なフックと、前記軸部材の雄ねじ部に装着されて床パネルと係止される係止部材と、前記雄ねじと螺合されるナットとを備えてなることを特徴とするパネル固定具。
【請求項２】
前記吊り部材によりフックの開閉方向が確認できるようにされてなることを特徴とする請求項１記載のパネル固定具。
【請求項３】
前記係止部材が固定されるパネルとの係止爪を有してなることを特徴とする請求項１記載のパネル固定具。
【発明の詳細な説明】
【０００１】
【発明の属する技術分野】
本発明はパネル固定具に関する。さらに詳しくは、一方向からの操作で床パネルなどが固定できるパネル固定具に関する。
【０００２】
【従来の技術】
従来より、床パネルの床梁への固定構造については、図１３〜図２０に示すような構造が知られている。
【０００３】
図１３に示す構造は、固定金具ａの固定部ａ1を床梁ｂの上フランジｃの下面に当接させ、この固定金具ａを床パネルｐにあらかじめ組付けられているナットｎにボルトｍを螺着させてボルト締することにより床パネルｐを床梁ｂに固定するものである。
【０００４】
図１４に示す構造は、固定金具ａの固定部ａ1を床梁ｂの上フランジｃの下面に当接させ、床パネルｐにあらかじめ形成されている貫通孔ｈを利用してこの固定金具ａをボルトｍとナットｎとによりボルト・ナット締めして固定し、床パネルｐを床梁ｂに固定するものである。
【０００５】
図１５および図１６に示す構造は、下端部がＬ字状に折り曲げられてフックｅが形成された固定金具ｄを床パネルｐに形成された貫通孔ｈにあらかじめ回転可能に取付けておいて、このフックｅを床梁ｂの上フランジｃ側に回転させ、床梁ｂの上フランジｃを床パネルｐとフックｅとにより挾み込むことにより、床パネルｐを床梁ｂに固定するものである。
【０００６】
図１７〜図２０に示す構造は、梁ｂの床パネルｐ，ｐ相互の接続部に形成される目地ｑに対応する位置の適宜個所にスタッドボルトｍを植え、そして床パネルｐ，ｐのこのスタッドボルトｍの周囲に該当する上面部分を所定範囲削り取って段部ｒ，ｒを形成し、この段部ｒ，ｒに固定金具ａを配設し、ついでこのスタッドボルトｍにナットｎを螺合させてこの固定金具ａを締め付けて床パネルｐ，ｐを床梁ｂに固定するものである。
【０００７】
しかしながら、前記各構造は以下に述べるような問題を有している。
【０００８】
図１３に示す構造では、床パネルｐの下方からの作業が伴なうので作業性が悪い。また、床パネルｐが二階や三階に取付けられる場合、高所作業となるので、作業者の安全対策を取らねばならず、作業能率の低下を招来する。さらに、床パネルｐにナットｎを埋設するために、床パネルｐの製作が煩雑となるとともに、床パネルｐのコスト上昇を招来する。
【０００９】
図１４に示す構造では、図１３の構造と同様に、床パネルｐの下方からの作業が伴うので作業性が悪い。また、床パネルｐが二階や三階に取付けられる場合、高所作業となるので、作業者の安全対策を取らねばならず、作業能率の低下を招来する。さらに、ボルトｍと床パネルｐとの遊びが大きく、高い固定強度が得られない。
【００１０】
図１５および図１６に示す構造では、床パネルｐの仮敷きの前に床パネルｐへ固定金具ｄを取付けなければならず、施工性が悪い。また、固定金具ｄの軸と床パネルｐとの遊びが大きく、高い固定強度が得られない。
【００１１】
図１７〜図２０に示す構造では、床パネルｐに段部ｒを形成するために、床パネルｐの製作が煩雑となるとともに、床パネルｐのコスト上昇を招来する。また、スタッドボルトｍと床パネルｐとの遊びが大きく、高い固定強度が得られない。
【００１２】
【発明が解決しようとする課題】
本発明はかかる従来技術の課題に鑑みなされたものであって、床パネルの製作を煩雑にすることなく、しかも一方向からの操作で床パネルなどが固定できるパネル固定具を提供することを目的としている。
【００１３】
【課題を解決するための手段】
本発明のパネル固定具は、上部に雄ねじが形成された軸部材と、前記軸部材の上端に設けられた吊り部材と、前記軸部材の下端に設けられた所定の角度で開閉自在なフックと、前記軸部材の雄ねじ部に装着されて床パネルと係止される係止部材と、前記雄ねじと螺合されるナットとを備えてなることを特徴とする。
【００１４】
本発明のパネル固定具においては、前記吊り部材によりフックの開閉方向が確認できるようにされてなるのがさらに好ましい。
【００１５】
また、本発明のパネル固定具においては、前記係止部材が固定されるパネルとの係止爪を有してなるのも好ましい。
【００１６】
【作用】
床梁に割付けされた床パネルの透孔にパネル固定具を挿通し、フックの開閉方向を床梁の上フランジに向けてその先端部を床パネルの裏面から突出させると、フックが所定角度、例えば約９０度に開く。その状態でパネル固定具を引き上げると、フックが床梁の上フランジと係止する。ついで、係止部材を床パネルに押し付けて係止させ、上部の雄ねじにナットを螺着して締め込むことにより床パネルの固定がなされる。このように、このパネル固定具によれば一方向からの作業により床パネルの固定がなされ、作業能率が向上する。
【００１７】
【発明の実施の形態】
以下、添付図面を参照しながら本発明を実施の形態に基づいて説明するが、本発明はかかる実施の形態のみに限定されるものではない。
【００１８】
本発明の一実施の形態の床パネル固定具Ｊを図１〜図４に示し、この床パネル固定具Ｊは、上部１１に雄ねじ１２が形成され下部１３がＩプレート状とされている軸部材１０と、この軸部材１０の下端部１３ａに折畳み可能に係合されているフック２０と、この雄ねじ１２に装着される係止部材３０と、軸部材１０の上端１１ａに下端が接合されている吊り部材４０とを主要部としてなる。
【００１９】
フック２０は、図１〜図４に示すように、一端が閉じられた断面がＵ字状の溝型部材２１とされ、その閉じられた端部２２側が軸部材１０のＩプレート状とされている下端部１３ａを挾み込んで、その下端部１３ａにピン接合されている。この溝型部材２１は軸部材１０側に折畳まれたときに、その溝２２内に軸部材１０を収納できるように、内側が軸部材１０の形状に対応した形状とされている。また、溝型部材２１は閉じられている側が軸部材１０にピン接合されているので、この溝型部材２１が折畳まれた状態から倒されてほぼ水平になると、溝型部材２１の閉じられている部分が軸部材１０のＩプレート状とされている下部１３に当接してその回転が阻止され、その角度以上に下方に下がることがない。このため、この溝型部材２１がフック２０として機能することになる。なお、このフック２０は自重により開閉自在とされているのが好ましい。
【００２０】
係止部材３０は下部係止部材３１と上部係止板３５とからなる。この下部係止部材３１は、有底円筒状の胴３２とこの胴３２の上端から一体的に形成されている外形がほぼ四角形のフランジ３３とからなる。そして、この胴３２の底面３２ａ中央には、軸部材１０の上部１１が挿通される円形の透孔３４が形成されている。また、このフランジ３３は、一対の角が、図４に示すように切り落され、そして一対の対向する側縁の一部は上方に折り曲げられて突出片３３ａ，３３ａとされている。
【００２１】
一方、上部係止板３５は角が丸められた前記フランジ３３と同サイズの四角形とされ、その対向する側縁の前記突出片３３ａ，３３ａに対応する位置には前記突出片３３ａ，３３ａと係合される一対の長方形の透孔３６，３６が形成されている。また、その中央部には軸部材１０の上部１１を挿通するための円形の透孔３７が形成されている。
【００２２】
そして、この上部係止板３５は、長方形の透孔３６，３６に下部係止部材３１のフランジ３３に形成された突出片３３ａ，３３ａを係合させた状態で、図４に示すように対角状に一対のビス１，１でビス留めされる。また、このビス留めされていない残りの対角に位置する角は、フランジ３３の角を切り落として形成される斜辺に沿わせて下方に折り曲げられて、係止爪３８とされている。これにより、上部係止板３５と下部係止部材３１とが係止部材３０に一体化される。
【００２３】
吊り部材４０は、図５に示すように、帯板４１の上下４２，４３を水平に折り曲げてコの字状に形成されたものとされ、その底面４３ａが軸部材１０の上端面１１ａに、上面４２ａの向きをフック２０の開く方向に一致させて接合されている。また、その垂直面４４は軸部材１０を吊り下げた際に、軸部材１０のフックが床パネルＰの下方で開くことができるに足る高さのものとされるとともに、図５（ｂ）に示すように適宜切り込み４５が設けられていて折り曲げやすくされ、そして上面４２ａはハンドリングが容易となるように垂直面４４よりは幅広に形成されている。また、上面４２ａおよび垂直面４４の大きさは、軸部材１０の上部１１に形成されている雄ねじ１２と螺合されるナット２が挿通できる大きさとされている。
【００２４】
次にかかる構成とされている床パネル固定具Ｊを用いた床パネルＰの施工について説明する。
【００２５】
（１）床パネルＰの両端部の所定位置に上部５１が大きくかつ下部５２が小さくされている円形の段付き透孔５０を形成する。この上部５１の直径はその端部５３に床パネル固定具Ｊの係止部材３０を係止できる大きさとされ、その深さは床パネル固定具Ｊが床パネルＰを固定した際に、軸部材１０の上端１１ａが突出しない深さとされている（図９参照）。なお、この段付き透孔５０の形成はあらかじめ工場にてなされる。
【００２６】
（２）床パネルＰを床パネル割付け図にしたがって床梁Ｂ上に割付ける（図６参照）。
【００２７】
（３）床パネルＰに形成されている透孔５０に、ナット２および係止部材３０が装着された床パネル固定具Ｊを挿通する（図７参照）。
【００２８】
（４）吊り部材４０の上面４２ａを保持しながら軸部材１０を透孔５０内を降下させる。
【００２９】
（５）フック２０を床パネルＰ裏面から突出させて開く（図８参照）。
【００３０】
（６）吊り部材４０を引き上げてフック２０を床梁Ｂの上部フランジＦに係止させ、ついで係止部材３０を段付き透孔５０の段部５３に押し付けて係止爪３８，３８を段部５３に食い込ませる（図９参照）。
【００３１】
（７）ナット２を仮締めする（図９参照）。
【００３２】
（８）フック２０の床梁Ｂの上部フランジＦとの係止状態を確認し、問題がなければナット２を本締めする（図１０参照）。
【００３３】
（９）吊り部材４０を適宜折り曲げて透孔５０の上部５１においてナット２の側方に収納する（図１１参照）。これにより、床パネル固定具Ｊによる床パネルＰの床梁Ｂへの固定が完了する。
【００３４】
このように、この実施の形態によれば、床パネルＰの上からの床パネル固定具Ｊを挿通し、それをナット締めするだけの簡単な作業のみで床パネルＰの床梁Ｂへの固定がなし得る。また、この床パネル固定具Ｊを使用するための床パネルＰへの加工は、段付き透孔５０の形成のみであるため、この床パネル固定具Ｊを使用することによる床パネルＰの加工工程の増加はほとんどない。したがって、この実施の形態の床パネル固定具Ｊを使用することによる床パネルのコスト上昇もほとんどない。
【００３５】
以上、本発明を実施の形態に基づいて説明してきたが、本発明はかかる実施の形態のみに限定されるものではない。例えば、図１２に示すように、外壁パネルＷの固定にも適用できる。
【００３６】
【発明の効果】
以上詳述したように、本発明によれば、床パネルの上からの床パネル固定具を挿通し、それをナット締めするだけの簡単な作業のみで床パネルの床梁への固定がなし得るという優れた効果が得られる。また、この床パネル固定具を使用するための床パネルへの加工は、段付き透孔の形成のみであるため、この床パネル固定具を使用することによる床パネルの加工工程および製造コストの増加はほとんどないという効果も得られる。したがって、トータルコストおよび施工期間が著しく低減されるという効果も得られる。
【図面の簡単な説明】
【図１】本発明の一実施の形態の床パネル固定具の斜視図である。
【図２】同正面図である。
【図３】同側面図である。
【図４】同平面図である。
【図５】同床パネル固定具に用いられている吊り部材を示す図であって、同（ａ）は平面図、同（ｂ）は正面図、同（ｃ）は側面図を示す。
【図６】同床パネル固定具を用いて床パネルを固定する手順を示す説明図であって、床パネルを床梁に割付けしている状態を示す。
【図７】同床パネル固定具を用いて床パネルを固定する手順を示す説明図であって、床パネル固定具を床パネルに設けられた透孔に挿通している状態を示す。
【図８】同床パネル固定具を用いて床パネルを固定する手順を示す説明図であって、床パネル固定具の先端を床パネル裏面から突出させ、フックを開いた状態を示す。
【図９】同床パネル固定具を用いて床パネルを固定する手順を示す説明図であって、床パネル固定具を引き上げてフックを床梁の上フランジに係止させた状態を示す。
【図１０】同床パネル固定具を用いて床パネルを固定する手順を示す説明図であって、ナットを本締めしている状態を示す。
【図１１】同床パネル固定具を用いて床パネルを固定する手順を示す説明図であって、吊り部材を折り曲げてナット側方に収納している状態を示す。
【図１２】本発明の他の実施の形態の概略図であって、壁パネルを固定している状態を示す。
【図１３】従来の床パネル固定構造の一例を示す概略図である。
【図１４】従来の床パネル固定構造の他の例を示す概略図である。
【図１５】従来の床パネル固定構造の他の例における施工手順を示す説明図であって、フックが装着されたた床パネルを床梁に載置した状態を示す。
【図１６】同説明図であって、フックを床梁の上フランジに係止した状態を示す。
【図１７】従来の床パネル固定構造のさらに他の例における施工手順を示す説明図であって、床梁の床パネルの目地部にスタッドボルトを植設した状態を示す。
【図１８】同説明図であって、床梁に床パネルを割付けた状態を示す。
【図１９】同説明図であって、スタッドボルトに固定金具を装着した状態を示す。
【図２０】同説明図であって、固定金具をナット締めした状態を示す。
【符号の説明】
１        ビス
２        ナット
１０        軸部材
１１        上部
１２        雄ねじ
１３        下部
２０        フック
２１        溝型部材
２３        溝
３０        係止部材
３１        下部係止部材
３５        上部係止板
３８        係止爪
４０        吊り部材
４１        帯板
５０        段付き透孔
Ｊ        床パネル固定具
Ｐ        床パネル
Ｂ        床梁
Ｆ        上フランジ
【図１】
0003858118.tif 000002
【図２】
0003858118.tif 000003
【図３】
0003858118.tif 000004
【図４】
0003858118.tif 000005
【図５】
0003858118.tif 000006
【図６】
0003858118.tif 000007
【図７】
0003858118.tif 000008
【図８】
0003858118.tif 000009
【図９】
0003858118.tif 000010
【図１０】
0003858118.tif 000011
【図１１】
0003858118.tif 000012
【図１２】
0003858118.tif 000013
【図１３】
0003858118.tif 000014
【図１４】
0003858118.tif 000015
【図１５】
0003858118.tif 000016
【図１６】
0003858118.tif 000017
【図１７】
0003858118.tif 000018
【図１８】
0003858118.tif 000019
【図１９】
0003858118.tif 000020
【図２０】
0003858118.tif 000021